(57)【要約】【課題】体液測定装置に装着されている体液測定チップから液体が漏れ出しても体液測定装置内の光学測定部を汚しにくい体液測定装置セット及び体液測定チップを提供する。【解決手段】本発明の体液測定装置セットは、体液測定装置と、体液測定チップと、を備え、前記体液測定装置が、前記体液測定チップを挿入可能なチップ装着空間を区画し、前記チップ装着空間に連通する空間内に設けられ、前記チップ装着空間内の所定領域を光学測定領域として測定する光学測定部を備え、前記体液測定チップが、第１開口から第２開口まで通じる流路を区画し、前記流路内に配置された試薬を備え、前記チップ装着空間内で前記体液測定装置に装着された状態で、前記第１開口が前記体液測定装置の外部に位置し、前記流路の一部が前記光学測定領域内に位置し、前記第２開口が前記光学測定領域外に位置する。【選択図】図３
2018084511.tif 000002
【特許請求の範囲】
【請求項１】
体液測定装置と、体液測定チップと、を備え、
前記体液測定装置は、
前記体液測定チップを挿入可能なチップ装着空間を区画し、
前記チップ装着空間に連通する空間内に設けられ、前記チップ装着空間内の所定領域を光学測定領域として測定する光学測定部を備え、
前記体液測定チップは、
第１開口から第２開口まで通じる流路を区画し、
前記流路内に配置された試薬を備え、
前記チップ装着空間内で前記体液測定装置に装着された状態で、前記第１開口が前記体液測定装置の外部に位置し、前記流路の一部が前記光学測定領域内に位置し、前記第２開口が前記光学測定領域外に位置する、
体液測定装置セット。
【請求項２】
前記第１開口及び前記第２開口は、前記チップ装着空間内に挿入された前記体液測定チップが抜去される際に、前記チップ装着空間内の光学測定領域外のみを通過する、請求項１に記載の体液測定装置セット。
【請求項３】
前記第２開口は、前記体液測定チップが前記体液測定装置に装着された状態で、前記光学測定領域よりも前記体液測定チップが抜去される側に配置される、請求項１又は２に記載の体液測定装置セット。
【請求項４】
前記第２開口は、前記体液測定チップが前記体液測定装置に装着された状態で、前記体液測定装置の外部に露出する、請求項１に記載の体液測定装置セット。
【請求項５】
前記第１開口及び前記第２開口は、前記体液測定チップの一端側に形成されており、
前記第２開口の位置は、前記体液測定チップが前記体液測定装置に装着された状態で、前記第１開口の位置よりも前記体液測定装置に近い、請求項４に記載の体液測定装置セット。
【請求項６】
前記第１開口及び前記第２開口は、前記体液測定チップの一端側に形成されており、
前記第２開口の向きは、前記体液測定チップが前記体液測定装置に装着された状態で、前記第１開口の向きと異なる、請求項４に記載の体液測定装置セット。
【請求項７】
前記第２開口は、前記体液測定チップが前記体液測定装置に装着された状態で、前記チップ装着空間内に位置する、請求項３に記載の体液測定装置セット。
【請求項８】
前記流路は、前記第１開口から前記第２開口までに少なくとも１つの屈曲部を有し、
前記少なくとも１つの屈曲部は、前記体液測定チップの厚み方向と直交する方向に屈曲している、請求項１から７のいずれか一項に記載の体液測定装置セット。
【請求項９】
前記流路のうち前記試薬が配置された位置は、前記体液測定チップが前記体液測定装置に装着された状態で、前記光学測定領域に含まれる、請求項１から８のいずれか一項に記載の体液測定装置セット。
【請求項１０】
第１開口から第２開口まで連通する流路を区画し、
前記流路内に配置された試薬を備え、
前記第１開口及び前記第２開口は、体液測定装置に装着された状態で前記体液測定装置の光学測定領域内に位置する、前記流路の一部を含む測定可能領域よりも外側に設けられる、体液測定チップ。
【請求項１１】
前記第２開口は、前記体液測定チップの前記体液測定装置からの取り外しの際に、前記光学測定領域を通過しない位置に形成されている、請求項１０に記載の体液測定チップ。
【発明の詳細な説明】
【技術分野】
【０００１】
本発明は、光学式の体液測定装置セット及び体液測定チップに関する。
【背景技術】
【０００２】
従来、血液や尿等の体液中の所定成分を測定する成分分析装置が広く普及している。測定原理として、発色試薬に体液を付着させて反応させ、発色度合を光学的に測定する方式が広く採用されている（特許文献１参照）。
【０００３】
このような光学式の成分分析装置として、近年では、発色試薬を有する体液測定チップを体液測定装置に装着して使用する、簡易型の体液測定装置セットが利用されている（特許文献２参照）。
【先行技術文献】
【特許文献】
【０００４】
【特許文献１】特表平１０−５０５６７６号公報
【特許文献２】特開平９−６１３１０号公報
【発明の概要】
【発明が解決しようとする課題】
【０００５】
特許文献２に開示されたような体液測定装置セットでは、体液測定装置に装着された体液測定チップから体液や、体液と試薬との反応物等の液体が漏れ出した場合、体液測定装置内の光学測定部が汚れてしまうおそれがあった。
【０００６】
本発明の目的は、上記問題に鑑み、体液測定装置に装着されている体液測定チップから液体が漏れ出しても体液測定装置内の光学測定部を汚しにくい体液測定装置セット及び体液測定チップを提供することである。
【課題を解決するための手段】
【０００７】
上記目的を達成するために、本発明の体液測定装置セットは、体液測定装置と、体液測定チップと、を備え、前記体液測定装置が、前記体液測定チップを挿入可能なチップ装着空間を区画し、前記チップ装着空間に連通する空間内に設けられ、前記チップ装着空間内の所定領域を光学測定領域として測定する光学測定部を備え、前記体液測定チップが、第１開口から第２開口まで通じる流路を区画し、前記流路内に配置された試薬を備え、前記チップ装着空間内で前記体液測定装置に装着された状態で、前記第１開口が前記体液測定装置の外部に位置し、前記流路の一部が前記光学測定領域内に位置し、前記第２開口が前記光学測定領域外に位置する、ことを特徴とする。
【０００８】
ここで、本発明の体液測定装置セットは、前記第１開口及び第２開口が、前記チップ装着空間内に挿入された前記体液測定チップが抜去される際に、前記チップ装着空間内の光学測定領域外のみを通過することができることが好ましい。
【０００９】
また、本発明の体液測定装置セットは、前記第２開口が、前記体液測定チップが前記体液測定装置に装着された状態で、前記光学測定領域よりも前記体液測定チップが抜去される側に配置されることが好ましい。
【００１０】
また、本発明の体液測定装置セットは、前記第２開口が、前記体液測定チップが前記体液測定装置に装着された状態で、前記体液測定装置の外部に露出することが好ましい。
【００１１】
また、本発明の体液測定装置セットは、前記第１開口及び前記第２開口が、前記体液測定チップの一端側に形成されており、前記第２開口の位置が、前記体液測定チップが前記体液測定装置に装着された状態で、前記第１開口の位置よりも前記体液測定装置に近いことが好ましい。
【００１２】
また、本発明の体液測定装置セットは、前記第１開口及び前記第２開口が、前記体液測定チップの一端側に形成されており、前記第２開口の向きが、前記体液測定チップが前記体液測定装置に装着された状態で、前記第１開口の向きと異なることが好ましい。
【００１３】
また、本発明の体液測定装置セットは、前記第２開口が、前記体液測定チップが前記体液測定装置に装着された状態で、前記チップ装着空間内に位置することが好ましい。
【００１４】
また、本発明の体液測定装置セットは、前記流路が、前記第１開口から前記第２開口までに少なくとも１つの屈曲部を有し、前記少なくとも１つの屈曲部が、前記体液測定チップの厚み方向と直交する方向に屈曲していることが好ましい。
【００１５】
また、本発明の体液測定装置セットは、前記流路のうち前記試薬が配置された位置が、前記体液測定チップが前記体液測定装置に装着された状態で、前記光学測定領域に含まれることが好ましい。
【００１６】
また、上記目的を達成するために、本発明の体液測定チップは、第１開口から第２開口まで連通する流路を区画し、前記流路内に配置された試薬を備え、前記第１開口及び前記第２開口が、体液測定装置に装着された状態で前記体液測定装置の光学測定領域内に位置する、前記流路の一部を含む測定可能領域よりも外側に設けられることを特徴とする。
【００１７】
また、本発明の体液測定チップは、前記第２開口が、前記体液測定チップの前記体液測定装置からの取り外しの際に、前記光学測定領域を通過しない位置に形成されていることを特徴とする。
【発明の効果】
【００１８】
本発明によれば、体液測定装置に装着されている体液測定チップから液体が漏れ出して体液測定装置内の光学測定部を汚しにくい体液測定装置セット及び体液測定チップを提供することができる。
【図面の簡単な説明】
【００１９】
【図１】本発明の一実施形態としての体液測定チップが体液測定装置に装着された体液測定装置セットの上面図である。
【図２】図１のＩＩ−ＩＩ線に沿う断面のうち、体液測定チップが装着されている箇所近傍の拡大断面図である。
【図３】図２のＩＩＩ−ＩＩＩ線に沿う断面図である。
【図４】図１の体液測定チップの寸法の一例を説明する図である。
【図５】図１の体液測定チップの組立工程の一例を示す図である。
【図６】図１の体液測定チップの流通形態の一例を示す図である。
【図７】第１の変形例としての体液測定チップを示す図である。
【図８】第２の変形例としての体液測定装置セットを示す図である。
【発明を実施するための形態】
【００２０】
以下、本発明の実施形態を、図面を参照して説明する。各図において共通の部材には、同一の符号を付している。
【００２１】
図１は、本発明の一実施形態としての体液測定チップ２００が体液測定装置１００に装着された体液測定装置セット１の上面図である。図２は、図１のＩＩ−ＩＩ線に沿う断面のうち、体液測定チップ２００が装着されている箇所近傍の拡大断面図である。図３は、図２のＩＩＩ−ＩＩＩ線に沿う断面図である。
【００２２】
体液測定装置セット１は、体液測定装置１００と、体液測定チップ２００と、を備えている。本実施形態の体液測定装置１００は、体液の成分を測定することが可能な装置であり、例えば、体液としての血液に含まれる血漿成分中のグルコースの濃度（ｍｇ／ｄＬ）を測定可能な血糖値測定装置である。また、本実施形態の体液測定チップ２００は、体液の採取が可能であり、体液測定装置１００の先端部に装着可能である。
【００２３】
体液測定装置１００は、例えば樹脂材料からなるハウジング１１０と、このハウジング１１０の上面に設けられたボタン群と、ハウジング１１０の上面に設けられた液晶又はＬＥＤ（Ｌｉｇｈｔ  Ｅｍｉｔｔｉｎｇ  Ｄｉｏｄｅの略）等で構成される表示部１１１と、体液測定装置１００に装着された状態の体液測定チップ２００を取り外す際に操作される取り外しレバー１１２と、を備えている。なお、本実施形態のボタン群は、電源ボタン１１３と、操作ボタン１１４とにより構成されている。
【００２４】
ハウジング１１０は、上述したボタン群及び表示部１１１が上面（図１参照）に設けられている、上面視の外形が略矩形の本体部１１０ａと、本体部１１０ａから外方に突設され、上面（図１参照）に取り外しレバー１１２が設けられたチップ装着部１１０ｂと、を備えている。図２に示すように、チップ装着部１１０ｂの内部には、チップ装着部１１０ｂの先端面に形成された先端開口を一端とするチップ装着空間Ｓが区画されている。
【００２５】
体液測定装置１００に対して体液測定チップ２００を装着する際は、外方から先端開口を通じてチップ装着空間Ｓ内に体液測定チップ２００を挿入する。体液測定チップ２００が所定位置まで押し込まれると、体液測定装置１００のチップ装着部１１０ｂが、体液測定チップ２００を係止した状態となる。この係止した状態とすることにより、体液測定チップ２００の体液測定装置１００への装着が完了する。なお、体液測定装置１００による体液測定チップ２００の係止は、例えば、チップ装着部１１０ｂ内に体液測定チップ２００の一部と係合可能な爪部や板ばねを設ける等、各種構成により実現可能である。以下、体液測定チップ２００がチップ装着空間Ｓ内に挿入されて体液測定装置１００に装着された状態を、単に「装着状態」とも記載する。
【００２６】
逆に、体液測定装置１００に装着されている体液測定チップ２００を体液測定装置１００から取り外す際は、ハウジング１１０の外部から上述した取り外しレバー１１２を操作する。その操作により、体液測定装置１００のチップ装着部１１０ｂによる体液測定チップ２００の係止状態が解除されると共に、ハウジング１１０内のイジェクトピン１１５（図２参照）が連動して移動する。これにより、体液測定チップ２００は、イジェクトピン１１５によって押し出されることでチップ装着空間Ｓ内から抜去され、体液測定装置１００から取り外される。
【００２７】
なお、本実施形態のハウジング１１０は、上面視（図１参照）で略矩形の本体部１１０ａと、本体部１１０ａから外方に突設されているチップ装着部１１０ｂと、を備える構成であるが、体液測定チップ２００を装着可能なチップ装着部を備えるものであればよく、本実施形態のハウジング１１０の形状に限られるものではない。したがって、本実施形態のハウジング１１０の形状の他に、例えば、ユーザにとって片手で把持し易くするための形状を種々採用することも可能である。
【００２８】
表示部１１１は、例えば、体液測定装置１００により測定された被測定成分の情報を表示するものである。本実施形態では、体液測定装置１００としての血糖値測定装置により測定されたグルコース濃度（ｍｇ／ｄＬ）を表示部１１１に表示することができる。なお、表示部１１１には、被測定成分の情報のみならず、体液測定装置１００の測定条件やユーザに所定の操作を指示する指示情報等、各種情報を表示できるようにしてもよい。ユーザは、表示部１１１に表示された内容を確認しながら、ボタン群の電源ボタン１１３や操作ボタン１１４を操作することができる。
【００２９】
図２に示すように、体液測定装置１００は、内部に光学測定部１２０を備えている。光学測定部１２０は、チップ装着空間Ｓに連通する空間内に設けられている。光学測定部１２０は、具体的には、発光部１２２と、受光部１２３と、を含む。発光部１２２及び受光部１２３は、チップ装着空間Ｓを挟む方向に、互いに対向して配置されている。発光部１２２から射出される光がチップ装着空間Ｓの所定領域を通過し、受光部１２３に入射することで、この所定領域を光学測定領域１２１として測定することができる。すなわち、光学測定部１２０は、チップ装着空間Ｓ内の所定領域を光学測定領域１２１として測定する。なお測定系の種類によっては、光学測定部１２０及び光学測定領域１２１は複数存在してもよい。
【００３０】
図２及び図３に示すように、体液測定チップ２００は、内部に流路２１０を区画している。図３に示すように、流路２１０は、第１開口２２０から第２開口２３０まで通じている。流路２１０内には、試薬２４０が塗布されている。試薬２４０は、体液と接触すると、体液に含まれる特定の成分に反応して、発色性の反応物を生成する性質を有する発色試薬である。試薬２４０は、例えば、体液としての血液と接触すると、血液中の被測定成分としてのグルコースと反応して、発色性の反応物を生成する。
【００３１】
図３に示すように、装着状態では、光学測定領域１２１は、流路２１０内に位置する。本実施例では、装着状態において、光学測定領域１２１は、試薬２４０が配置された位置に含まれるが、測定系の種類によっては、光学測定領域１２１が、試薬２４０よりも通気路２１２の入口側に設けられていてもよい。以下、体液測定チップ２００のうち、流路２１０の一部を含む領域であって、装着状態で体液測定装置１００の光学測定領域１２１を含む、光学測定値を取得可能な領域を、測定可能領域２５０とする。光学測定においては、測定可能領域２５０が血液で汚染されると、精度の良い測定ができない。
【００３２】
図２及び図３に示すように、第１開口２２０は、体液測定チップ２００の一端側に形成されている。より具体的に、本実施形態の体液測定チップ２００は長尺板状であり、第１開口２２０は、体液測定チップ２００の長手方向の一端側に形成されている。ここで、第１開口２２０は、装着状態で、体液測定装置１００の外部に位置する。点着口としての第１開口２２０に体液が点着する場合、通気口としての第２開口２３０から流路２１０内の空気等の気体が排出されながら、体液が第１開口２２０を通じて流路２１０内を第２開口２３０に向かって移動する。そして、体液が試薬２４０に接触すると、反応物が生成される。
【００３３】
図３に示すように、第２開口２３０は、第１開口２２０と同様に、体液測定チップ２００の一端側に形成されている。より具体的に、第２開口２３０は、体液測定チップ２００の長手方向のうち、第１開口２２０と同じ一端側に形成されている。また、第２開口２３０は、第１開口２２０と同様、装着状態で、体液測定装置１００の外部に位置する。このように、第１開口２２０及び第２開口２３０は、装着状態において体液測定装置１００の外部に位置するため、装着状態では流路２１０からの開口がチップ装着空間Ｓに露出することがなく、流路２１０内の体液や反応物等の液体がチップ装着空間Ｓ内に漏れ出すことを抑制できる。また、第１開口２２０及び第２開口２３０は、チップ装着空間Ｓ内に挿入された体液測定チップ２００が抜去される際に、光学測定領域の外部のみを通過する。よって、光学測定部１２０の汚れの発生を抑制することができる。
【００３４】
なお、図３に示す第２開口２３０は、装着状態において、体液測定装置１００の外部に位置している、あるいは、第２開口２３０は体液測定装置１００の外部に露出している。第２開口２３０は、チップ装着空間Ｓからの開口と面一となる位置であってもよい。このように、第２開口２３０が体液測定装置１００の外部に露出していれば、第２開口２３０が体液測定装置１００の外部に位置する場合と同様の効果が得られる。
【００３５】
また、第２開口２３０の位置は、装着状態で、第１開口２２０の位置よりも体液測定装置１００に近い。より具体的に、図３に示すように、第１開口２２０の内縁を含む第１平面Ｐ１と、第２開口２３０の内縁を含む第２平面Ｐ２とは、互いに実質的に平行となるように形成されている。そして、第２開口２３０の第２平面Ｐ２は、装着状態で、第１開口２２０の第１平面Ｐ１よりも体液測定装置１００に近い。このように、第１開口２２０の方が第２開口２３０よりも体液測定装置１００から離れて位置しているため、ユーザが誤って第２開口２３０にも体液を点着させて通気口を塞いでしまうことを抑制することができる。
【００３６】
また、図３に示すように、流路２１０は、第１開口２２０から第２開口２３０までに２つの屈曲部２１１ａ及び２１１ｂを有している。以下、２つの屈曲部２１１ａ及び２１１ｂを区別しない場合、単に屈曲部２１１と記載する。屈曲部２１１は、体液測定チップ２００の厚み方向（上下方向）と直交する方向に屈曲している。このように、屈曲部２１１が体液測定チップ２００の厚み方向と直交する方向に屈曲しているため、流路２１０のうち屈曲部２１１を挟む両側の部分が体液測定チップ２００の厚み方向で重ならない構成を実現しやすい。流路２１０のうち屈曲部２１１を挟む両側の部分が体液測定チップ２００の厚み方向で重ならない構成とすれば、体液測定チップ２００の厚み方向に通過する光により測定を行う本実施形態の光学測定部１２０を使用する場合、簡易な流路２１０の構成により、第１開口２２０及び第２開口２３０を光学測定領域１２１の外側に配置することができる。
【００３７】
なお、図３に示すように、流路２１０は、流路２１０の延在方向において、測定可能領域２５０よりも第２開口２３０側に、測定可能領域２５０よりも幅が狭い通気路２１２を含んでもよい。このように、流路２１０の一部を幅の狭い通気路２１２とすることで、通気を可能としつつ、体液や反応物等の液体が流れ出ることを抑制することができる。
【００３８】
図４は、体液測定チップ２００の寸法の一例を説明する図である。試薬２４０の第１開口２２０側の端部から通気路２１２の入口までの距離Ａは、測定可能領域２５０には測定に必要な反応物が保持できればよく、距離Ａを大きくし過ぎると、チップ装着部１１０ｂのサイズが大きくなってしまう。そこで、距離Ａは２ｍｍ以下であることが好ましい。
【００３９】
体液測定チップ２００が採取する体液としての血液の量は、生体への負担軽減の観点から、１μＬ以下とすることが好ましい。この場合、第１開口２２０から通気路２１２の入口までの距離Ａ＋Ｂは、流路２１０の幅を１．５ｍｍ、流路２１０の厚さを０．１ｍｍとするとき、６．６ｍｍ以下であることが好ましい。また、必要な反応物を保持するために、通気路２１２の断面積は、流路２１０の断面積以下であることが好ましい。
【００４０】
体液としての血液を採取する際、例えば半径２ｍｍ以下の半球状となるように体表面に滲出させた血液に、体液測定チップ２００の第１開口２２０を接触させる。この時、半球状の血液が第２開口２３０や、チップ装着空間Ｓから光学測定部１２０に直接触れることがないように、第１開口２２０と第２開口２３０との間の距離Ｃは、２ｍｍ以上であることが好ましい。また、例えば患者の掌に滲出させた血液を採取する際、体液測定チップ２００が掌に必要以上に押し込まれる場合がある。このような組織への沈み込みを考慮すると、距離Ｂ及び距離Ｃは、それぞれ５ｍｍ以上であることがより好ましい。
【００４１】
図５は、本実施形態の体液測定チップ２００の組立工程の一例を示す図である。図５に示すように、体液測定チップ２００は、切欠部２６１を有する第１板状部材２６０の両側から、第２板状部材２７０で挟み込むようにして組み立てられた積層構造の組立体から製造されていてもよい。ここで、切欠部２６１は、体液測定チップ２００を厚み方向から見た場合の流路２１０の形状に形成されている。すなわち、流路２１０は、切欠部２６１を有する第１板状部材２６０と、第１板状部材２６０の両側を挟み込む２つの第２板状部材２７０と、によって区画される。あるいは、第２板状部材２７０のどちらか一方に流路２１０を形成したうえで、接着あるいは融着により貼り合わせてもよい。このようにして組み立てられた組立体の一部を切断して、第１開口２２０及び第２開口２３０を形成することで、体液測定チップ２００を製造することができる。
【００４２】
このように、体液測定チップ２００を、第１板状部材２６０及び第２板状部材２７０による組立体から製造する場合は、体液測定チップ２００の流路２１０の厚み方向における長さを第１板状部材２６０の厚みで規定できるため、加工バラつきを軽減することができる。体液測定チップ２００ごとの光学測定部１２０による光の光路長のバラつきを軽減することができるため、特に透過光測定の場合は、測定精度が向上する。また、体液測定チップ２００を上下対称に製造できるため、体液測定チップ２００を表裏の区別なく体液測定装置１００に装着することができ、操作性が向上する。更に、体液測定チップ２００をこのような板状部材の積層構造とすれば、体液測定チップ２００の厚み方向と直交する方向に屈曲する屈曲部２１１を有する流路２１０を容易に形成することができる。
【００４３】
図６は、体液測定チップ２００の流通形態の一例としてのチップ含有体２０２を示す図である。図６に示すように、チップ含有体２０２は、閉空間２１３を区画している。なお、図６に示すチップ含有体２０２の閉空間２１３は、図５に示す１つの第１板状部材２６０と、２つの第２板状部材２７０と、を積層して形成することができる。また、閉空間２１３には、試薬２４０と、乾燥剤２４１とが配置されている。乾燥剤２４１によって、閉空間２１３内は一定以下の湿度に保ち、試薬２４０の劣化を防ぐことができる。チップ含有体２０２は、図６に示す破線の平面に沿って切断されると、体液測定チップ２００と、切除体２０１とに分断される。すなわち、体液測定チップ２００の流路２１０は、閉空間２１３を区画する状態（チップ含有体２０２の状態）から、第１開口２２０及び第２開口２３０が形成されるように一部（切除体２０１）が切除されることにより形成される。なお、切除体２０１及びこの切除体２０１内に位置する乾燥剤２４１は、分断後に処分される。
【００４４】
このように、チップ含有体２０２から切除体２０１を切り離して体液測定チップ２００の流路２１０を形成する構成とすることで、体液測定チップ２００の使用直前に流路２１０を形成することができる。このため、使用直前まで流路２１０内が汚れることを抑制できる。また、チップ含有体２０２の状態で、切除体２０１側を把持し、切除体２０１側を持ちながら、体液測定チップ２００側を体液測定装置１００のチップ装着空間Ｓに挿入し、その後、切除体２０１を切除することで、体液測定チップ２００に直接手を触れることなく、体液測定チップ２００を体液測定装置１００に装着することができる。そのため、体液測定チップ２００の測定可能領域２５０の外面などに手の脂等が付着することを抑制し、操作性を向上することができる。
【００４５】
図７は、第１の変形例としての体液測定チップ２００’を示す図である。図７に示すように、体液測定チップ２００’の第１開口２２０’及び第２開口２３０’は、体液測定チップ２００’の一端側に形成されている。より具体的に、体液測定チップ２００’は長尺板状であり、第１開口２２０’及び第２開口２３０’は、体液測定チップ２００’の長手方向の一端側に形成されている。また、図７に示す第２開口２３０’の向きは、装着状態で、第１開口２２０’の向きと異なる。換言すれば、第１開口２２０’の内縁を含む第１平面Ｐ１’と、第２開口２３０’の内縁を含む第２平面Ｐ２’とは、互いにそれらの延長線上で交差している。流路２１０’は、第１開口２２０’から第２開口２３０’までに２つの屈曲部２１１ｃ及び２１１ｄを有している。屈曲部２１１ｃ及び２１１ｄは、装着状態で、流路２１０’の最も体液測定装置１００に近い側、すなわち体液測定チップ２００’の長手方向の他端側に位置している。試薬２４０は、屈曲部２１１ｃと屈曲部２１１ｄとの間に配置されている。換言すれば、流路２１０’は２つの屈曲部２１１ｃ及び２１１ｄによりコの字形を有しており、試薬２４０は、コの字形の流路２１０’の折り返し部分に配置されている。また、流路２１０’は、体液測定チップ２００の流路２１０のような幅の狭い通気路２１２を有していない。なお、体液測定チップ２００’の構成は、上述した以外は体液測定チップ２００の構成と同様であるため、説明を省略する。
【００４６】
このように、体液測定チップ２００’は、第１開口２２０’及び第２開口２３０’の内縁を含む平面Ｐ１’及びＰ２’が互いに交差するように構成されているため、患者が、誤って第１開口２２０’及び第２開口２３０’の両方が同時に体液に点着することを抑制することができる。また、第１開口２２０’に体液を点着させた場合には第２開口２３０’が通気口として機能し、第２開口２３０’に体液を点着させた場合には第１開口２２０’が通気口として機能するため、操作性が向上する。
【００４７】
図８は、第２の変形例としての体液測定装置セット１’を示す図である。図８の第１開口２２０を第１端、屈曲部２１１ａ、２１１ｂ方向を第２端とする。図８に示すように、体液測定装置セット１’においては、体液測定チップ２００の第２開口２３０は、装着状態で、チップ装着空間Ｓの内部に配置されている。さらに、第２開口２３０は、装着状態で、光学測定領域１２１よりも第１端側に配置されている。このように、第２開口２３０が、装着状態で、チップ装着空間Ｓの内部に配置されているので、ユーザが誤って第２開口２３０にも体液を点着させて通気口を塞いでしまうことを抑制することができる。また、第２開口２３０が、装着状態で、光学測定領域１２１よりも第１端側に配置されているため、体液測定装置セット１と同様、体液測定チップ２００が体液測定装置１００から抜去される際に流路２１０内の体液や反応物等の液体によって光学測定部１２０が汚れることを抑制することができる。ところで、上述した本実施形態の体液測定装置セット１では、体液測定チップ２００の体液測定装置１００への装着の前後において流路２１０からの開口がチップ装着空間Ｓに露出することがそもそもない。従って、体液測定装置セット１’よりも、体液測定装置セット１の方が、光学測定部１２０の汚れの発生をより抑制することができる点で好ましい。
【００４８】
本発明に係る体液測定装置セット及び体液測定チップは、上述した実施形態の構成に限定されるものではなく、特許請求の範囲で記載された内容を逸脱しない範囲で、様々な構成により実現することが可能である。
【００４９】
例えば、上述した実施形態の構成以外であっても、第１開口２２０及び第２開口２３０が、チップ装着空間Ｓ内に挿入された体液測定チップ２００が抜去される際に、チップ装着空間Ｓ内の光学測定領域１２１の外部のみを通過する構成であればよい。換言すると、第１開口２２０及び第２開口２３０が、体液測定チップ２００の体液測定装置１００からの取り外しの際に、光学測定領域１２１を通過しない位置に形成されていればよい。このような構成とすることで、体液測定チップ２００が体液測定装置１００から抜去される際に流路２１０内の体液や反応物等の液体によって光学測定部１２０が汚れることを抑制することができる。ところで、上述した第２の変形例の体液測定装置セット１’では、第２開口２３０が、装着状態で、光学測定領域１２１よりも体液測定チップ２００が抜去される側に配置されている。従って、体液測定装置セット１’の方が、光学測定部１２０の汚れの発生をより抑制することができる点で好ましい。
【００５０】
また、例えば、上述した実施形態の構成以外であっても、第１開口２２０及び第２開口２３０が、測定可能領域２５０よりも外側に設けられていればよい。このような構成とすることで、装着状態で、体液測定チップ２００から液体が漏れ出たとしても、光学測定部１２０が汚れることを抑制することができる。ただし、本構成よりも、上述したような、第１開口２２０及び第２開口２３０が、チップ装着空間Ｓ内に挿入された体液測定チップ２００が抜去される際に、チップ装着空間Ｓ内の光学測定領域１２１の外部のみを通過する構成の方が、体液測定チップ２００が体液測定装置１００から抜去される際にも、流路２１０内の体液や反応物等の液体によって光学測定部１２０が汚れることを抑制することができる点で好ましい。
【００５１】
上述した実施形態の構成以外であっても、第２開口２３０から通気路２１２入口までの体積を、第１開口２２０から通気路２１２入口までの体積以上となるように設けてもよい。例えば、屈曲部２１１ｂから第２開口２３０までの流路形状を適宜湾曲させたりして、通気路２１２の距離を長くする。このような構成とすることで、通気路内あるいは流路終端に多孔質体やポリマー等の漏出防止材を配置したりせずとも、血液の漏出を抑制することができる。
【産業上の利用可能性】
【００５２】
本発明は、光学式の体液測定装置セット及び体液測定チップに関する。
【符号の説明】
【００５３】
１、１’  体液測定装置セット
１００  体液測定装置
１１０  ハウジング
１１０ａ  本体部
１１０ｂ  チップ装着部
１１１  表示部
１１２  取り外しレバー
１１３  電源ボタン
１１４  操作ボタン
１１５  イジェクトピン
１２０  光学測定部
１２１  光学測定領域
１２２  発光部
１２３  受光部
２００、２００’  体液測定チップ
２０１  切除体
２０２  チップ含有体
２１０、２１０’  流路
２１１、２１１ａ、２１１ｂ、２１１ｃ、２１１ｄ  屈曲部
２１２  通気路
２１３  閉空間
２２０、２２０’  第１開口
２３０、２３０’  第２開口
２４０  試薬
２４１  乾燥剤
２５０  測定可能領域
２６０  第１板状部材
２６１  切欠部
２７０  第２板状部材
Ｐ１、Ｐ１’  第１平面
Ｐ２、Ｐ２’  第２平面
Ｓ  チップ装着空間
【図１】
2018084511.tif 000003
【図２】
2018084511.tif 000004
【図３】
2018084511.tif 000005
【図４】
2018084511.tif 000006
【図５】
2018084511.tif 000007
【図６】
2018084511.tif 000008
【図７】
2018084511.tif 000009
【図８】
2018084511.tif 000010